(57)【要約】【課題】着用時に着用者の腹部に位置する端部がめくれにくく、フィット性が高い吸収性物品を提供すること。【解決手段】本発明の吸収性物品は、着用者の前後方向に対応する長手方向とこれに直交する幅方向とを有し、長手方向に沿って位置する腹側領域及び背側領域と、これらの領域の間に位置する股下領域とを備える。腹側領域は、その平面視において該腹側領域の長手方向端部域を構成する複数のシート部材と、端縁が該シート部材の長手方向端縁よりも内方に位置する構成部材とを備える。吸収性物品の平面視において、腹側領域側に位置するシート部材の長手方向端縁が、長手方向内方に向けて凹んだ複数の凹部と、該凹部間に位置する凸部とを有する第１凹凸形状をなす。また、吸収性物品の長手方向且つ腹側領域側に位置する前記構成部材の長手方向端縁が、長手方向内方に向けて凹んだ複数の凹部と、該凹部間に位置する凸部とを有する第２凹凸形状をなす。【選択図】図１
2020103350.tif 000002
【特許請求の範囲】
【請求項１】
着用者の前後方向に対応する長手方向とこれに直交する幅方向とを有し、前記長手方向に沿って位置する腹側領域及び背側領域と、該腹側領域及び該背側領域の間に位置する股下領域とを備える吸収性物品であって、
前記腹側領域は、平面視において該腹側領域の前記長手方向の端部域を構成する複数のシート部材と、該シート部材の該長手方向の端縁よりも内方に位置する構成部材とを備え、
平面視において、前記腹側領域側に位置する前記シート部材の前記長手方向の端縁が、該長手方向の内方に向けて凹んだ複数の凹部と、該凹部間に位置する凸部とを有する第１凹凸形状をなし、且つ
前記構成部材の前記腹側領域側に位置する前記長手方向の端縁が、該長手方向の内方に向けて凹んだ複数の凹部と、該凹部間に位置する凸部とを有する第２凹凸形状をなしている、吸収性物品。
【請求項２】
前記構成部材が位置する部位における吸収性物品の剛性が、複数の前記シート部材の剛性よりも高い、請求項１に記載の吸収性物品。
【請求項３】
複数の前記シート部材間に配された吸収体を備え、
前記構成部材が吸収体である、請求項１又は２に記載の吸収性物品。
【請求項４】
前記背側領域に位置するファスニングテープと、前記腹側領域に位置し且つ該ファスニングテープを止着可能なランディングテープとを備え、
前記構成部材がランディングテープである、請求項１又は２に記載の吸収性物品。
【請求項５】
前記凸部における最上部を極大点とし、前記凹部における最下部を極小点とし、前記第１凹凸形状における極大点と極小点とを結んだ線分の中点を通り且つ前記幅方向と平行に延びる第１仮想直線と、前記第２凹凸形状における極大点と極小点とを結んだ線分の中点を通り且つ前記幅方向と平行に延びる第２仮想直線とをひいたときに、
前記第１仮想直線と前記第２仮想直線との距離に対する前記シート部材の前記長手方向の端縁と前記構成部材の前記長手方向の端縁との距離の割合が、１８％以上１００％以下である、請求項３又は４に記載の吸収性物品。
【請求項６】
前記第１凹凸形状における極大点を通り且つ前記幅方向と平行に延びる第３仮想直線と、前記第２凹凸形状における極小点を通り且つ前記幅方向と平行に延びる第４仮想直線と、前記第１凹凸形状における極小点を通り且つ前記幅方向と平行に延びる第５仮想直線と、前記第２凹凸形状における極大点を通り且つ前記幅方向と平行に延びる第６仮想直線とをそれぞれひいたときに、
前記第３仮想直線と前記第４仮想直線との距離が、前記第５仮想直線と前記第６仮想直線との距離よりも大きい、請求項５に記載の吸収性物品。
【請求項７】
前記第１凹凸形状と前記第２凹凸形状とはともに連続波形形状であり、
前記第１凹凸形状と前記第２凹凸形状との位相が異なっている、請求項１ないし６のいずれか一項に記載の吸収性物品。
【請求項８】
前記第１凹凸形状と前記第２凹凸形状とが互いに同じ形状である、請求項１ないし７のいずれか一項に記載の吸収性物品。
【請求項９】
前記背側領域は、その平面視において該背側領域の前記長手方向の端部域を構成する複数のシート部材を備え、
平面視において、前記背側領域側に位置する前記シート部材の前記長手方向の端縁が、前記長手方向の内方に向けて凹んだ複数の凹部と、該凹部間に位置する凸部とを有する第３凹凸形状をなし、
前記吸収性物品を肌対向面側が対向するように前記幅方向に延びる折り線に沿って二つ折りしたときに、前記腹側領域における凹部と前記背側領域における凸部とが一致し、且つ前記腹側領域における凸部と前記背側領域における凹部とが一致するように前記第１凹凸形状及び前記第３凹凸形状が形成されている、請求項１ないし８のいずれか一項に記載の吸収性物品。
【請求項１０】
前記腹側領域及び前記背側領域における前記長手方向のそれぞれの端部域に、弾性部材が存在していない、請求項１ないし９のいずれか一項に記載の吸収性物品。
【発明の詳細な説明】
【技術分野】
【０００１】
本発明は、吸収性物品に関する。
【背景技術】
【０００２】
近年、着用者に対する当接部位の保護やフィット性に配慮した使い捨ておむつ等の吸収性物品が種々提案されている。例えば特許文献１には、前胴回り域内で、前記製品幅方向の中心付近で且つ製品長手方向の端部を含み、少なくとも２枚以上の不織布シートが配置されている領域に切り欠き部を有する使い捨ておむつが開示されている。このおむつは、乳児のへそ部分を保護できることも同文献に開示されている。
【０００３】
また特許文献２には、吸収体の他の部位よりも目付けが低いか、または吸収性コアが存在しない低剛性領域と、製品幅方向において非伸縮である非伸縮領域とを有する吸収体を備える使い捨ておむつが開示されている。このおむつは、背中側の腰周りにズレや隙間を生じにくくして、フィット性を向上できることも同文献に開示されている。
【先行技術文献】
【特許文献】
【０００４】
【特許文献１】特開２０１３−１４６６１１号公報
【特許文献２】特開２０１３−２３０２５５号公報
【発明の概要】
【発明が解決しようとする課題】
【０００５】
しかし、特許文献１及び２に記載のおむつは、腹部に位置するおむつの長手方向端部が着用者の呼吸等に起因する腹部の動きによって外方に折れてしまったり、めくれてしまったりするので、着用時の見た目及びフィット性が悪いものとなっていた。また、端部のめくれ等のおむつの見た目の悪化に起因して、着用者の腹部の冷えが発生してしまうのではないかという乳児の育児者及び高齢者等の介護者の不安が生じていた。特に、着用者の腰回りに弾性部材が存在していないおむつの場合、着用者側への押し付けが弱く、おむつの端部がめくれやすかった。
【０００６】
したがって、本発明の課題は、おむつの端部のめくれが改善された吸収性物品を提供することにある。
【課題を解決するための手段】
【０００７】
本発明は、着用者の前後方向に対応する長手方向とこれに直交する幅方向とを有し、前記長手方向に沿って位置する腹側領域及び背側領域と、該腹側領域及び該背側領域の間に位置する股下領域とを備える吸収性物品であって、
前記腹側領域は、平面視において該腹側領域の前記長手方向の端部域を構成する複数のシート部材と、該シート部材の該長手方向の端縁よりも内方に位置する構成部材とを備え、
平面視において、前記腹側領域側に位置する前記シート部材の前記長手方向の端縁が、該長手方向の内方に向けて凹んだ複数の凹部と、該凹部間に位置する凸部とを有する第１凹凸形状をなし、且つ
前記構成部材の前記腹側領域側に位置する前記長手方向の端縁が、該長手方向の内方に向けて凹んだ複数の凹部と、該凹部間に位置する凸部とを有する第２凹凸形状をなしている、吸収性物品を提供するものである。
【発明の効果】
【０００８】
本発明によれば、着用時に着用者の腹部に位置する端部の折れやめくれが生じにくく、フィット性が高い吸収性物品が提供される。
【図面の簡単な説明】
【０００９】
【図１】図１は、本発明の吸収性物品の一実施形態において、その展開且つ伸長状態における肌対向面側（内面側）を模式的に示す展開平面図である。
【図２】図２は、図１に示す吸収性物品のＶ−Ｖ線での断面図である。
【図３】図３（ａ）は、本発明の吸収性物品の別の実施形態において、その展開且つ伸長状態における肌対向面側（内面側）を模式的に示す展開平面図である。
【図４】図４は、第１凹凸形状及び第２凹凸形状の一実施形態を示す模式図である。
【図５】図５（ａ）ないし（ｃ）は、第１凹凸形状及び第２凹凸形状の別の実施形態を示す模式図である。
【図６】図６は、本発明の吸収性物品の更に別の実施形態において、その展開且つ伸長状態における肌対向面側（内面側）を模式的に示す展開平面図である。
【図７】図７は、図６に示す吸収性物品を、その肌対向面側が対向するように幅方向に沿って二つ折りしたときの第１凹凸形状及び第３凹凸形状の重なりを示す模式図である。
【発明を実施するための形態】
【００１０】
以下、本発明の吸収性物品を、その好ましい実施形態に基づき説明する。図１及び図２には、本発明の吸収性物品の好ましい実施形態である展開型の使い捨ておむつ（以下、これを単に「おむつ」ともいう。）が示されている。図１に示すおむつ１は、その展開且つ伸長状態において、着用者の前後方向に対応し、着用者の腹側から股間部を介して背側に延びる長手方向Ｘと、これに直交する幅方向Ｙとを有している。おむつ１は、その着用時に着用者の腹側に配される腹側領域Ｆ及び背側に配される背側領域Ｒと、腹側領域Ｆ及び背側領域Ｒの間に位置する股下領域Ｍと有する。各領域は、おむつ１の長手方向Ｘの全長を三等分した領域であり、着用者の前後方向に連続して延びている。
【００１１】
図１及び図２に示すおむつ１は、その平面視において、長手方向Ｘの端部域を構成する複数のシート部材と、長手方向端縁がシート部材の長手方向端縁よりも内方に位置する構成部材（以下、これを「おむつ形成部材」ともいう。）とを備えている。詳細には、図１及び図２に示すように、おむつ１は、肌対向面を形成する液透過性の表面シート２と、非肌対向面を形成する液難透過性（撥水性も含む）の裏面シート３とを備えており、少なくともこれらのシート２，３が複数のシート部材となって、おむつ１の長手方向Ｘの両端部域１Ｊ，１Ｋを構成している。本実施形態における表面シート２及び裏面シート３は、腹側領域Ｆにおけるおむつ１の長手方向Ｘの端縁１Ｓを含むおむつの輪郭を構成している。以下の説明では、表面シート２及び裏面シート３を総称して、「シート部材２，３」ともいう。
【００１２】
図１に示すように、おむつ１は、長手方向端縁がシート部材の長手方向端縁よりも内方に位置するおむつ形成部材として、液保持性の吸収体４を備えている。図１に示すように、吸収体４は略長方形状であり、その長手方向とおむつの長手方向Ｘとが一致するように配されている。図１に示す吸収体４は、その長手方向の長さがおむつ１の長手方向全長よりも短く、これによって、おむつ形成部材の長手方向Ｘの端縁Ｓとして、吸収体４の長手方向の端縁４Ｓがシート部材２，３の長手方向端縁１Ｓよりも内方に位置するようになっている。本実施形態における吸収体４は、股下領域Ｍにおいて、幅方向Ｙに括れた部位を有している。
【００１３】
図２に示すように、おむつ１における吸収体４は、吸収性能を有する吸収性コア４１が液透過性のコアラップシート４２に被覆されて形成されており、該吸収体４は、表面シート２と裏面シート３との間に配されている。つまり、図２に示す吸収体４は、シート部材２，３の間に配されている。
【００１４】
また、本実施形態のおむつ１は、そのおむつ形成部材として、ランディングテープ６を腹側領域Ｆにおけるおむつ１の非肌対向面に備えている。ランディングテープ６は、背側領域Ｒの幅方向Ｙの両側縁部に設けられたファスニングテープ７，７を止着可能に構成されている。図１に示すランディングテープ６は略長方形状であり、該テープ６の長手方向とおむつ１の幅方向Ｙとが一致するように、おむつの腹側領域Ｆに配されている。
【００１５】
本明細書において、おむつ１の「展開且つ伸長状態」とは、おむつ１を展開状態とし、その展開状態のおむつ１を各部の弾性部材を伸長させて設計寸法（弾性部材の影響を一切排除した状態で平面状に広げたときの寸法と同じ）となるまで拡げた状態をいう。また、「肌対向面」は、おむつ又はその構成部材（例えば吸収体）に着目したときに、おむつの着用時に着用者の肌に向けられる面であり、「非肌対向面」は、おむつの着用時に着用者の肌とは反対側に向けられる面である。つまり、肌対向面は、着用者の肌に相対的に近い側の面であり、非肌対向面は、着用者の肌から相対的に遠い側の面である。「着用時」は、おむつの適正な着用位置が維持された状態を指す。
【００１６】
図１に示すおむつ１は、少なくとも腹側領域Ｆにおいて、シート部材２，３で形成されるおむつ１の長手方向端縁１Ｓが、第１凹凸形状Ｄ１となっている。第１凹凸形状Ｄ１は、長手方向Ｘの内方に向けて凹んだ複数の凹部１ｂと、該凹部１ｂ間に位置する凸部１ｐとによって形成されている。本実施形態における第１凹凸形状Ｄ１は、一本の曲線からなる周期的な波形形状となっているが、この形態に限られず、例えば直線の稜線を複数組み合わせた三角形状、四角形状等の波形形状等が挙げられる。これらの波形形状は、周期的でなくてもよい。
【００１７】
また、おむつ１は、腹側領域Ｆ側に位置するおむつ形成部材の長手方向Ｘの端縁Ｓが、第２凹凸形状Ｄ２となっている。第２凹凸形状Ｄ２は、第１凹凸形状Ｄ１と同様に、長手方向Ｘの内方に向けて凹んだ複数の凹部２ｂと、該凹部２ｂ間に位置する凸部２ｐとを有する。図１に示すおむつ１は、おむつ形成部材である吸収体４の長手方向Ｘの端縁４Ｓに第２凹凸形状Ｄ２が形成されている。本実施形態における第２凹凸形状Ｄ２は、一本の曲線からなる周期的な波形形状となっているが、この形態に限られず、例えば直線の稜線を複数組み合わせた三角形状、四角形状等の波形形状等が挙げられる。これらの波形形状は、周期的でなくてもよい。
【００１８】
図１及び図２に示すように、おむつ１の肌対向面における長手方向Ｘに沿う両側部には、撥水性且つ通気性のシートから構成された一対の防漏カフ８，８が設けられていてもよい。各防漏カフ８の自由端部の近傍には糸状の防漏カフ形成用弾性部材８１が長手方向Ｘに伸長状態で一本以上配されている。防漏カフ８は、伸長状態で配された弾性部材８１がおむつ１の着用時に収縮することによって少なくとも股下領域Ｍで起立し、それによって尿等の排泄物の幅方向Ｙの外方への流出を阻止する。
【００１９】
図１に示すように、おむつ１の長手方向Ｘに沿う両側部それぞれには、レッグギャザー形成用の複数本のレッグ弾性部材８２が長手方向Ｘに沿って伸長状態に配されており、レッグ弾性部材８２の収縮によりレッグギャザーが形成できるようになっている。本実施形態では、おむつ１の腹側領域Ｆ及び背側領域Ｒにおける各長手方向端部域１Ｊ，１Ｋには弾性部材が存在していないが、本発明の効果が奏される限りにおいて、例えば弾性部材を幅方向Ｙに伸長状態に更に配して、弾性部材の収縮によりウエストギャザーが形成できるようになっていてもよい。
【００２０】
表面シート２、裏面シート３及び吸収体４としてはそれぞれ、吸収性物品に従来用いられているものを特に制限なく用いることができる。表面シート２としては例えば、液透過性の不織布及び開孔フィルム等を用いることができる。裏面シート２２としては、液難透過性の樹脂フィルムや、樹脂フィルムと不織布等とのラミネート等を用いることができる。吸収体４は、吸収性コア４１として、木材パルプ、親水化処理された合成繊維等の親水性繊維の集合体や、該集合体に吸水性ポリマーを保持させたものを用いることができる。また、コアラップシート４２としては、表面シート２１と同様のものを用いることができる。また、防漏カフ形成用のシートとしては、撥水性の不織布を用いることができる。
【００２１】
以上の構成を有する本発明の吸収性物品によれば、吸収性物品の腹側領域における複数のシート部材の長手方向端縁と、おむつ形成部材の長手方向端縁とに凹凸形状がそれぞれ形成されているので、各部材の端縁に凹凸形状が形成されていない吸収性物品と比較して、おむつ形成部材の長手方向端縁が幅方向に延びる可撓軸になりづらく、おむつ外方へのシート部材の折れやめくれを低減することができる。詳細には、腹側領域における各部材の長手方向端縁に凹凸形状が形成されることによって、シート部材２，３とおむつ形成部材である吸収体４との境界である長手方向端縁Ｓに形成される可撓軸が一直線状にならず、形成された凹凸形状の稜線に沿って複数の可撓軸が形成されることになるので、長手方向端部域１Ｊのシート部材２，３がおむつ外方に折れ曲がりづらくなる。その結果、本発明の吸収性物品は、その着用時に、着用者の呼吸等に伴って動きが大きい腹部に追従しやすく、フィット性が高いものとなり、腹側領域Ｆの長手方向端部域１Ｊに配されるシート部材の折れやめくれが抑制されるものとなる。
【００２２】
おむつの着用時において、腹側領域Ｆ側の長手方向端部域１Ｊに位置するシート部材が折れたりめくれたりすることを抑制する観点から、おむつ形成部材が位置する部位における吸収性物品の剛性が、複数のシート部材の剛性よりも高いことが好ましい。
【００２３】
本明細書における剛性とは、ＪＩＳ  Ｌ  １９１３に規定されるハンドルオメーター法によって測定された剛軟度を示すものである。おむつ形成部材が位置する部位における吸収性物品の剛性をＮ１とし、複数のシート部材の剛性をＮ２としたときに、おむつ形成部材が位置する部位における吸収性物品の剛性Ｎ１に対する複数のシート部材の剛性Ｎ２の比（Ｎ２／Ｎ１）は、０．１２以上であることが好ましく、０．１６以上であることが更に好ましく、また、０．４６以下であることが好ましく、０．２６以下であることが更に好ましい。
【００２４】
おむつ形成部材を含む吸収性物品の剛性Ｎ１は、２９ｍＮ以上であることが好ましく、４２ｍＮ以上であることが更に好ましく、また、７５ｍＮ以下であることが好ましく、６８ｍＮ以下であることが更に好ましい。複数のシート部材の剛性Ｎ２は、９ｍＮ以上であることが好ましく、１１ｍＮ以上であることが更に好ましく、また、１５ｍＮ以下であることが好ましく、１３ｍＮ以下であることが更に好ましい。
【００２５】
吸収性物品の排泄物の高い吸収性を維持しつつ、シート部材の端部域１Ｊの折れやめくれを更に抑制して、フィット性が高い吸収性物品とする観点から、おむつ形成部材は、シート部材２，３よりも剛性の高い部材である吸収体４であることが好ましい。つまり、図１及び図２に示す実施形態では、おむつ形成部材である吸収体４が位置する部位におけるおむつ１の剛性が、腹側領域Ｆの長手方向端部域１Ｊに位置する両シート部材２，３の剛性よりも高いことが好ましい。
【００２６】
図１及び図２と異なる別の実施形態として、図３に示す実施形態が挙げられる。図３に示す実施形態では、第２凹凸形状Ｄ２が形成されているおむつ形成部材がランディングテープ６である。同図に示すように、ランディングテープ６におけるおむつ１の腹側領域Ｆ側且つおむつ１の長手方向Ｘの外方に位置する端縁６Ｓがおむつ形成部材の長手方向Ｘの端縁Ｓとなっており、該端縁６Ｓが第２凹凸形状Ｄ２をなしている。ランディングテープ６における腹側領域Ｆ側の長手方向端縁６Ｓは、シート部材２，３の長手方向端縁１Ｓよりも長手方向Ｘの内方に位置している。同図に示すように、吸収体４の長手方向端縁４Ｓは、ランディングテープ６における長手方向端縁６Ｓよりも長手方向Ｘの内方に位置している。このような構成であっても、排泄物の高い吸収性を維持しつつ、シート部材の端部域１Ｊの折れやめくれを更に抑制して、フィット性が高い吸収性物品となる。
【００２７】
シート部材の長手方向端縁１Ｓと、おむつ形成部材の長手方向端縁Ｓとの配置関係について、図４を用いて説明する。図４には、シート部材の長手方向端縁１Ｓにおける第１凹凸形状Ｄ１と、おむつ形成部材の長手方向端縁Ｓにおける第２凹凸形状Ｄ２とが模式的に示されている。図４に示すように、以下の仮想点及び仮想直線を考える。すなわち、第１凹凸形状Ｄ１の凸部１ｐにおける最上部を極大点Ｇ１とし、凹部１ｂにおける最下部を極小点Ｈ１とする。次いで、極大点Ｇ１と極小点Ｈ１とを結んだ線分を形成し、その線分の中点Ｉ１を通り且つ幅方向Ｙと平行に延びる直線を第１仮想直線Ｌ１とする。同様に、第２凹凸形状Ｄ２において、極大点Ｇ２と極小点Ｈ２とを結んだ線分を形成し、その線分の中点Ｉ２を通り且つ幅方向Ｙと平行に延びる直線を第２仮想直線Ｌ２とする。各凹凸形状Ｄ１，Ｄ２の振幅が不均一である場合は、各凹凸形状Ｄ１，Ｄ２の最大の振幅の部位における極大点及び極小点を結んだ中点を通り且つ幅方向Ｙと平行に延びる直線を仮想直線Ｌ１，Ｌ２とする。
【００２８】
図４に示すように、第１仮想直線Ｌ１と第２仮想直線Ｌ２との間の距離を仮想線間距離Ｗ１とし、シート部材２，３の長手方向端縁１Ｓとおむつ形成部材の長手方向端縁Ｓとの間の長手方向Ｘに沿う距離を端縁間距離Ｗｓとしたときに、仮想線間距離Ｗ１に対する端縁間距離Ｗｓの割合（Ｗｓ／Ｗ１）が、百分率として、１８％以上であることが好ましく、２０％以上であることが更に好ましく、１００％以下であることが好ましく、５０％以下であることが更に好ましい。端縁間距離Ｗｓにおけるおむつ形成部材の長手方向端縁Ｓは、腹側領域Ｆ側において第２凹凸形状Ｄ２が形成されているおむつ形成部材の長手方向端縁を指し、該端縁Ｓは、好ましくはシート部材２，３の長手方向端縁１Ｓと最も近接し、且つおむつ１の長手方向Ｘの外方に位置するおむつ形成部材の端縁であり、具体的には、好ましくは吸収体４の長手方向端縁４Ｓ、又はランディングテープ６の長手方向端縁６Ｓである。このような構成となっていることによって、おむつの腹側端部のシートの折れやめくれを効果的に低減することができるとともに、フィット性が一層高い吸収性物品となる。
【００２９】
仮想線間距離Ｗ１は、２０ｍｍ以上であることが好ましく、３５ｍｍ以上であることが更に好ましく、また、６０ｍｍ以下であることが好ましく、５０ｍｍ以下であることが更に好ましい。同様に、端縁間距離Ｗｓは、５ｍｍ以上であることが好ましく、１０ｍｍ以上であることが更に好ましく、また、４０ｍｍ以下であることが好ましく、２０ｍｍ以下であることが更に好ましい。端縁間距離Ｗｓは、長手方向Ｘに沿う最も距離の長い端縁間の距離とする。
【００３０】
図５（ａ）ないし（ｃ）には、図４と異なる形状を有する各凹凸形状Ｄ１，Ｄ２の配置形態が示されている。図５（ａ）に示すように、図４と同様の仮想点及び仮想直線に加えて、以下の仮想直線を考える。すなわち、第１凹凸形状Ｄ１における極大点Ｇ１を通り且つ幅方向Ｙと平行に延びる直線を第３仮想直線Ｌ３とし、第２凹凸形状Ｄ２における極小点Ｈ２を通り且つ幅方向Ｙと平行に延びる直線を第４仮想直線Ｌ４とする。また、第１凹凸形状Ｄ１における極小点Ｈ１を通り且つ幅方向Ｙと平行に延びる直線を第５仮想直線Ｌ５とし、第２凹凸形状Ｄ２における極大点Ｇ２を通り且つ幅方向Ｙと平行に延びる第６仮想直線Ｌ６とする。このとき、第３仮想直線Ｌ３と第４仮想直線Ｌ４との間の長手方向Ｘに沿う第１距離Ｗ２が、第５仮想直線Ｌ５と第６仮想直線Ｌ６との間の長手方向Ｘに沿う第２距離Ｗ３よりも大きいことが好ましい。このような構成としては例えば、図５（ａ）に示すように、互いに同一の振幅を有し、且つ位相が異なる凹凸形状としたり、また図５（ｂ）及び（ｃ）に示すように、互いに異なる振幅を有し且つ位相が異なる凹凸形状とすることができる。このような構成となっていることによって、着用者の腹側に配されるシート部材の折れやめくれを効果的に低減することができるとともに、フィット性が一層高い吸収性物品となる。各凹凸形状Ｄ１，Ｄ２の振幅が不均一である場合は、各凹凸形状Ｄ１，Ｄ２の最大の振幅の部位における極大点又は極小点を通り且つ幅方向Ｙと平行に延びる直線を仮想直線Ｌ３，Ｌ４，Ｌ５，Ｌ６とする。
【００３１】
第１距離Ｗ２は、２０ｍｍ以上であることが好ましく、３０ｍｍ以上であることが更に好ましく、また、６０ｍｍ以下であることが好ましく、４０ｍｍ以下であることが更に好ましい。同様に、第２距離Ｗ３は、第１距離Ｗ２よりも短いことを条件として、１０ｍｍ以上であることが好ましく、１５ｍｍ以上であることが更に好ましく、また、４０ｍｍ以下であることが好ましく、２０ｍｍ以下であることが更に好ましい。
【００３２】
図５（ａ）ないし（ｃ）に示すように、第１凹凸形状Ｄ１と第２凹凸形状Ｄ２とはともに曲線からなる連続波形形状であり、且つ第１凹凸形状Ｄ１と第２凹凸形状Ｄ２との位相が互いに異なっていることも好ましい。特に、同図に示すように、第１凹凸形状Ｄ１と第２凹凸形状Ｄ２との周期が同一であることが更に好ましく、また、第１凹凸形状Ｄ１と第２凹凸形状Ｄ２との位相が半ピッチずれていることも更に好ましい。このような構成となっていることによって、着用者の腹側に配されるシート部材の折れやめくれを一層効果的に抑制することができるとともに、フィット性がより一層高い吸収性物品となる。
【００３３】
また、図５（ａ）に示すように、第１凹凸形状Ｄ１と第２凹凸形状Ｄ２とが互いに同じ凹凸形状となっていることが好ましい。「互いに同じ凹凸形状」とは、振幅及び周期が互いに一致している凹凸形状を指し、位相が一致しているか否かは問わない趣旨である。このような構成となっていることによって、着用者の腹側に配されるシート部材の折れやめくれを一層効果的に抑制することができるとともに、フィット性がより一層高く、外観が良好な吸収性物品となる。
【００３４】
特に、着用者の腹側に配されるシート部材の折れやめくれをより一層効果的に抑制するとともに、フィット性及び外観を高いレベルで兼ね備えた吸収性物品とする観点から、第１凹凸形状Ｄ１と第２凹凸形状Ｄ２との凹凸形状の組み合わせとして、図４に示す凹凸形状の組み合わせを採用することが好ましく、図５（ｂ）及び（ｃ）に示す凹凸形状の組み合わせを採用することが更に好ましく、図５（ａ）に示す凹凸形状の組み合わせを採用することが一層好ましい。
【００３５】
図１ないし図５と異なる更に別の実施形態として、図６及び図７に示す実施形態が挙げられる。以下の実施形態では、上述した実施形態と異なる点についてのみ説明し、上述した実施形態と同様の点については同じ符号を付して説明を省略する。
【００３６】
図６に示す吸収性物品１は、図１に示す実施形態と同様に、腹側領域Ｆにおけるシート部材の長手方向端縁１Ｓが第１凹凸形状Ｄ１をなしており、また、おむつ形成部材としての吸収体４の長手方向端縁４Ｓが第２凹凸形状Ｄ２をなしている。これに加えて、背側領域Ｒにおいても、平面視において背側領域Ｒの長手方向Ｘの端部域１Ｋを構成する複数のシート部材２，３を備えている。背側領域Ｒ側に位置するシート部材２，３の長手方向端縁１Ｔは、長手方向Ｘの内方に向けて凹んだ複数の凹部３ｂと、該凹部３ｂ間に位置する凸部３ｐとを有する第３凹凸形状Ｄ３をなしている。同図に示すように、おむつ形成部材としての吸収体４は、その背側領域Ｒ側に位置する長手方向端縁４Ｔが、長手方向Ｘの内方に向けて凹んだ複数の凹部４ｂと、該凹部間に位置する凸部４ｐとを有する第４凹凸形状Ｄ４をなしていてもよい。このような構成を有していることによって、着用者の腹側に配されるシートに加えて、背側に配されるシートの折れやめくれを防ぐことができ、その結果、着用者の動きに一層追従しやすくなり、フィット性が更に向上した吸収性物品となる。
【００３７】
腹側領域Ｆの長手方向端部に第１凹凸形状Ｄ１を有し、背側領域Ｒの長手方向端部に第３凹凸形状Ｄ３を有するおむつ１は、これを肌対向面側が対向するように幅方向に延びる折り線に沿って二つ折りしたときに、凹部と凸部とが所定の配置となるように第１凹凸形状Ｄ１及び第３凹凸形状Ｄ３が形成されていることが好ましい。詳細には、図７に示すように、第１凹凸形状Ｄ１及び第３凹凸形状Ｄ３は、腹側領域Ｆにおける凹部１ｂと背側領域Ｒにおける凸部３ｐとが一致し、且つ腹側領域Ｆにおける凸部１ｐと背側領域Ｒにおける凹部３ｂとが一致するように形成されていることが好ましい。このような構成を有していることによって、着用者の動きに一層追従しやすくなり、フィット性が更に向上した吸収性物品となる。これに加えて、本実施形態のおむつを複数個収容した包装体の形態としたときに、包装体からおむつを取り出す際のシート部材の折れ曲がりを防ぐことができ、その結果、着用前及び着用時のおむつの外観をより一層高めることができるという利点も奏される。図７に示す実施形態では、第１凹凸形状Ｄ１及び第３凹凸形状Ｄ３は互いに同じ凹凸形状であり、これに加えて、おむつ１を二つ折りしたときに各凹凸形状Ｄ１，Ｄ３の位相が異なるように形成されている。
【００３８】
図６及び図７に示すように、第１凹凸形状Ｄ１と第３凹凸形状Ｄ３とはともに曲線からなる連続波形形状であり、且つ第１凹凸形状Ｄ１と第３凹凸形状Ｄ３との位相が互いに異なっていることも好ましい。特に、同図に示すように、第１凹凸形状Ｄ１と第３凹凸形状Ｄ３との周期が同一であることが更に好ましく、また、第１凹凸形状Ｄ１と第３凹凸形状Ｄ３との位相が半ピッチずれていることも更に好ましい。また同図に示すように、第１凹凸形状Ｄ１と第３凹凸形状Ｄ３とが互いに同じ凹凸形状となっていることが一層好ましい。このような構成となっていることによって、着用者の腹側及び背側に配されるシート部材の折れやめくれを一層効果的に抑制することができるとともに、フィット性がより一層高く、外観が一層良好な吸収性物品となる。
【００３９】
以上、本発明をその好ましい実施形態に基づき説明したが、本発明は上述した実施形態に限定されない。例えば、図３に示す実施形態では、吸収性物品のおむつ形成部材として、ランディングテープ６の長手方向端縁６Ｓのみに凹凸形状が形成されていたが、この形態に限られない。詳細には、吸収性物品１は、ランディングテープ６の長手方向端縁６Ｓに加えて、吸収性物品１のおむつ形成部材である吸収体４の腹側領域Ｆ側に位置する長手方向端縁４Ｓが、長手方向内方に向けて凹んだ複数の凹部と、該凹部間に位置する凸部とを有する凹凸形状をなしていてもよい。この場合、シート部材２，３及び吸収体４に形成された凹凸形状はそれぞれ同一の位相となっていることが好ましく、ランディングテープ６に形成された凹凸形状は、その位相がシート部材２，３及び吸収体４に形成された凹凸形状と半ピッチずれていることが好ましい。また、前記の場合におけるシート部材２，３、吸収体４及びランディングテープ６に形成された各凹凸形状は、振幅が同一であることも好ましい。
【００４０】
上述した本発明の実施形態に関し、更に以下の吸収性物品を開示する。
＜１＞
着用者の前後方向に対応する長手方向とこれに直交する幅方向とを有し、前記長手方向に沿って位置する腹側領域及び背側領域と、該腹側領域及び該背側領域の間に位置する股下領域とを備える吸収性物品であって、
前記腹側領域は、平面視において該腹側領域の前記長手方向の端部域を構成する複数のシート部材と、該シート部材の前記長手方向の端縁よりも内方に位置する構成部材とを備え、
平面視において、前記腹側領域側に位置する前記シート部材の前記長手方向の端縁が、前記長手方向の内方に向けて凹んだ複数の凹部と、該凹部間に位置する凸部とを有する第１凹凸形状をなし、且つ
前記構成部材の前記腹側領域側に位置する前記長手方向の端縁が、前記長手方向の内方に向けて凹んだ複数の凹部と、該凹部間に位置する凸部とを有する第２凹凸形状をなしている、吸収性物品。
【００４１】
＜２＞
前記構成部材が位置する部位における吸収性物品の剛性が、前記複数のシート部材の剛性よりも高い、前記＜１＞に記載の吸収性物品。
＜３＞
前記複数のシート部材の剛性が、前記構成部材が位置する吸収性物品の剛性の０．１２以上０．４６以下、好ましくは０．１６以上０．２６以下である、前記＜２＞に記載の吸収性物品。
＜４＞
前記構成部材が位置する吸収性物品の剛性が２９ｍＮ以上７５ｍＮ以下、好ましくは４２ｍＮ以上６８ｍＮ以下である、前記＜２＞又は＜３＞に記載の吸収性物品。
＜５＞
前記複数のシート部材の剛性が９ｍＮ以上１５ｍＮ以下、好ましくは１１ｍＮ以上１３ｍＮ以下である、前記＜２＞〜＜４＞のいずれか一に記載の吸収性物品。
【００４２】
＜６＞
複数の前記シート部材間に配された吸収体を備え、
前記構成部材が吸収体である、前記＜１＞〜＜５＞のいずれか一に記載の吸収性物品。
＜７＞
前記背側領域に位置するファスニングテープと、前記腹側領域に位置し且つ該ファスニングテープを止着可能なランディングテープとを備え、
前記構成部材がランディングテープである、前記＜１＞〜＜５＞のいずれか一に記載の吸収性物品。
＜８＞
前記凸部における最上部を極大点とし、前記凹部における最下部を極小点とし、前記第１凹凸形状における極大点と極小点とを結んだ線分の中点を通り且つ前記幅方向と平行に延びる第１仮想直線と、前記第２凹凸形状における極大点と極小点とを結んだ線分の中点を通り且つ幅方向と平行に延びる第２仮想直線とをひいたときに、
前記第１仮想直線と前記第２仮想直線との距離に対する前記シート部材の前記長手方向の端縁と前記構成部材の前記長手方向の端縁との距離の割合が、１８％以上１００％以下であり、好ましくは２０％以上５０％以下である、前記＜６＞又は＜７＞に記載の吸収性物品。
＜９＞
前記第１仮想直線と前記第２仮想直線との距離が、２０ｍｍ以上６０ｍｍ以下であり、好ましくは３５ｍｍ以上５０ｍｍ以下である、前記＜８＞に記載の吸収性物品。
【００４３】
＜１０＞
前記シート部材の前記長手方向の端縁と前記構成部材の前記長手方向の端縁との距離が、５ｍｍ以上４０ｍｍ以下であり、好ましくは１０ｍｍ以上２０ｍｍ以下である、前記＜８＞又は＜９＞に記載の吸収性物品。
＜１１＞
前記第１凹凸形状における極大点を通り且つ前記幅方向と平行に延びる第３仮想直線と、前記第２凹凸形状における極小点を通り且つ前記幅方向と平行に延びる第４仮想直線と、前記第１凹凸形状における極小点を通り且つ前記幅方向と平行に延びる第５仮想直線と、前記第２凹凸形状における極大点を通り且つ前記幅方向と平行に延びる第６仮想直線とをそれぞれひいたときに、
前記第３仮想直線と前記第４仮想直線との距離が、前記第５仮想直線と前記第６仮想直線との距離よりも大きい、前記＜８＞ないし＜１０＞のいずれか一に記載の吸収性物品。
＜１２＞
前記第３仮想直線と前記第４仮想直線との距離が、２０ｍｍ以上６０ｍｍ以下であり、好ましくは３０ｍｍ以上４０ｍｍ以下である、前記＜１１＞に記載の吸収性物品。
＜１３＞
前記第５仮想直線と前記第６仮想直線との距離が、１０ｍｍ以上４０ｍｍ以下であり、好ましくは１５ｍｍ以上２０ｍｍ以下である、前記＜１１＞又は＜１２＞に記載の吸収性物品。
【００４４】
＜１４＞
前記第１凹凸形状と前記第２凹凸形状とはともに連続波形形状であり、
前記第１凹凸形状と前記第２凹凸形状との位相が異なっている、前記＜１＞ないし＜１３＞のいずれか一に記載の吸収性物品。
＜１５＞
前記第１凹凸形状と前記第２凹凸形状とが互いに同じ形状である、前記＜１＞ないし＜１４＞のいずれか一に記載の吸収性物品。
＜１６＞
前記背側領域は、その平面視において該背側領域の前記長手方向の端部域を構成する複数のシート部材を備え、
平面視において、前記背側領域側に位置する前記シート部材の前記長手方向の端縁が、前記長手方向の内方に向けて凹んだ複数の凹部と、該凹部間に位置する凸部とを有する第３凹凸形状をなし、
前記吸収性物品を肌対向面側が対向するように前記幅方向に延びる折り線に沿って二つ折りしたときに、前記腹側領域における凹部と前記背側領域における凸部とが一致し、且つ前記腹側領域における凸部と前記背側領域における凹部とが一致するように前記第１凹凸形状及び前記第３凹凸形状が形成されている、前記＜１＞ないし＜１５＞のいずれか一に記載の吸収性物品。
＜１７＞
前記腹側領域及び前記背側領域における前記長手方向のそれぞれの端部域に、弾性部材が存在していない、前記＜１＞ないし＜１６＞のいずれか一に記載の吸収性物品。
【符号の説明】
【００４５】
１  吸収性物品（使い捨ておむつ）
２  表面シート
３  裏面シート
４  吸収体
６  ランディングテープ
Ｄ１，Ｄ２，Ｄ３  凹凸形状
Ｆ  腹側領域
Ｍ  股下領域
Ｒ  背側領域
Ｓ  構成部材の長手方向端縁
Ｘ  長手方向
Ｙ  幅方向
【図１】
2020103350.tif 000003
【図２】
2020103350.tif 000004
【図３】
2020103350.tif 000005
【図４】
2020103350.tif 000006
【図５】
2020103350.tif 000007
【図６】
2020103350.tif 000008
【図７】
2020103350.tif 000009